(57)【要約】【課題】家庭には様々な鍋やフライパンがあり、食材も様々、多種多様であり、自動調理コースでは対応できない場合が多い。従って使用者が温度維持のタイミングを好きな時に設定でき使用者が望む通りの加熱を行うこと。【解決手段】通常加熱中、温度維持選択手段９を選択することにより、選択されたその瞬間の温度検知結果によりその温度を維持し、調理を行うことができる。【選択図】図１
2010040245.tif 000002
【特許請求の範囲】
【請求項１】
被加熱物と、前記被加熱物を加熱する誘導加熱コイルと、誘導加熱コイルに高周波電流を供給するインバータと、前記インバータの出力を制御する制御手段と、使用者が設定を行う操作部と、前記被加熱物を載置するトッププレート又は前記被加熱物の温度を検知する温度検知手段と、時間をカウントする時間測定手段と、温度維持選択手段とを有し、前記温度維持選択手段は、使用者により通常加熱中に前記温度維持選択手段の温度維持機能が選択されると、前記制御手段及び前記温度検知手段は選択された瞬間の温度を維持する制御を行う誘導加熱調理機器。
【請求項２】
温度維持選択手段の温度維持機能を選択された際の使用火力または温度によって、最大復帰火力を制限する請求項１に記載の誘導加熱調理機器。
【請求項３】
複数の温度検知手段と、前記複数の温度検知手段の情報を元に演算を行う演算手段とを有し、温度維持選択手段の温度維持機能を選択された際、その瞬間に検知された温度の平均値で温度維持を行う請求項１または２に記載の誘導加熱調理機器。
【請求項４】
温度維持選択手段による温度維持機能の実行は、火力設定手段が選択されることにより解除され、通常加熱を行う請求項１〜３のいずれか１項に記載の誘導加熱調理機器。
【請求項５】
温度維持選択手段により温度維持機能が実行されると、温度検知手段と時間測定手段で検知された一定時間での変化結果より調理法を決定し、各調理法別の制御を行う請求項１〜４のいずれか１項に記載の誘導加熱調理機器。
【請求項６】
温度維持選択手段により温度維持機能が実行され、調理法が決定された後、温度検知手段による検知結果が各制御プログラムの設定値から外れた場合、調理法が変更されたとみなし、その調理法に応じた制御を行う請求項５に記載の誘導加熱調理機器。
【発明の詳細な説明】
【技術分野】
【０００１】
本発明は、使用者の好みに応じた調理を可能にする誘導加熱調理機器に関するものである。
【背景技術】
【０００２】
従来、この種の誘導加熱調理器は、温調機能・自動メニューが搭載されており、これらは条件通りの方法で行うと最適な出来映えが確保できる（例えば、特許文献１参照）。
【特許文献１】特開２００３−３１９８７５号公報
【発明の開示】
【発明が解決しようとする課題】
【０００３】
しかしながら、前記従来の構成では、実際には様々な鍋／フライパンがあり、食材も様々、多種多様の条件があり、なかなか条件に沿う調理ができていないのが現状である。
【０００４】
また、温調機能・自動メニュー以外の調理においても、食材や調理法、好み等で最適な温度は異なり、調理の出来映えは充分ではないという課題を有していた。
【０００５】
本発明は、前記従来の課題を解決するもので、使用者が好きな火力で好きなように調理を始め、最適な温度、火力を見つけた後、温度キープ機能で温度をキープさせることで、使用者が望む通りの加熱を行う誘導加熱調理機器を提供することを目的とする。
【課題を解決するための手段】
【０００６】
前記従来の課題を解決するために、本発明の誘導加熱調理機器は、被加熱物と、前記被加熱物を加熱する誘導加熱コイルと、誘導加熱コイルに高周波電流を供給するインバータと、前記インバータの出力を制御する制御手段と、使用者が設定を行う操作部と、前記被加熱物を載置するトッププレート又は前記被加熱物の温度を検知する温度検知手段と、時間をカウントする時間測定手段と、温度維持選択手段とを有し、前記温度維持選択手段は、使用者により通常加熱中に前記温度維持選択手段の温度維持機能が選択されると、前記制御手段及び前記温度検知手段は選択された瞬間の温度を維持する制御を行うようにしたものである。
【０００７】
これによって、使用者が多種多様の調理環境（鍋、フライパン、食材など）に応じて調理をおこなっている使用者の好みの調理条件に基づいた、火力、温度の制御することができる。
【発明の効果】
【０００８】
本発明の誘導加熱調理機器は、使用者が温度維持のタイミングを好きな時に設定でき、使用者が望む通りの加熱をおこなうことができ、使い勝手を向上させつつ調理性能を向上することができる。
【発明を実施するための最良の形態】
【０００９】
第１の発明は、被加熱物と前記被加熱物を加熱する誘導加熱コイルと、誘導加熱コイルに高周波電流を供給するインバータと、前記インバータの出力を制御する制御手段と、使用者が設定を行う操作部と、前記被加熱物を載置するトッププレート又は前記被加熱物の温度を検知する温度検知手段と、時間をカウントする時間測定手段と、温度維持選択手段とを有し、前記温度維持選択手段は、使用者により通常加熱中に前記温度維持選択手段の温度維持機能が選択されると、前記制御手段及び前記温度検知手段は選択された瞬間の温
度を維持する制御を行う構成を有する誘導加熱調理機器としたものであり、これにより例えば使用者が焼き物調理を行うことにより、、好きなフライパン、材料で調理を行っても、好ましい温度を見つけた後温度維持選択手段の温度維持機能を選択すれば、出来映えがフライパンや材料によってばらつくことなく、使用者にとっては狙った通りの良好な出来映えが得られる。
【００１０】
第２の発明は、特に、第１の発明の温度維持機能を選択された際、使用していた火力または温度によって、最大復帰火力を制限することにより、例えば火力３ＫＷで炒め物を行っていた時に温度維持機能が選択された場合と火力１ＫＷで焼き物をおこなっていた時に温度維持機能が選択された場合では、調理しているメニューが違う可能性が高い為、温度は一定に保つもののそれぞれの復帰最大火力を変えることで、失敗することのない調理が行える。
【００１１】
第３の発明は、特に、第１または第２の発明に複数の温度検知手段と前記複数の温度検知手段の情報を元に演算を行う演算手段を有し、温度維持選択手段の温度維持機能を選択された際、その瞬間に検知された温度の平均値で温度維持を行うことにより、食材を入れる位置によって、温度検知手段の精度にばらつきが生じることなく、安全性を高めると同時に調理性能を向上することができる。
【００１２】
第４の発明は、特に、第１〜３のいずれか１つの発明の温度維持選択手段による温度維持機能の実行は、火力設定手段が選択されることにより解除され通常加熱を行うことにより、温度維持で調理をした後、最後に一気に焼き上げたり、食材を追加したり自由に調理を続けることができ、安定した出来映えが確保できるだけでなく、料理の幅も広げることが可能となる。
【００１３】
第５の発明は、特に第１〜４のいずれか１つの発明の温度維持選択手段により温度維持機能が実行されると、温度検知手段と時間測定手段で検知された一定時間での変化結果より調理法を決定し、各調理法別の制御を行うことにより、水を用いる調理とそれ以外の調理で別制御が可能となり、各調理において失敗なく調理を行うことができる。
【００１４】
第６の発明は、特に、第５の発明の温度維持選択手段により温度維持機能が実行され、調理法が決定された後、温度検知手段による検知結果が各制御プログラムの設定値から外れた場合、調理法が変更されたとみなし、その調理法に応じた制御を行うことにより、例えば炒め煮の場合、水分を入れた後の温度低下を温度検知手段が検知し、沸騰維持の制御パターンに変更することで、無用な高火力を維持することなく調理を行うことができる。
【００１５】
以下、本発明の実施の形態について、図面を参照しながら説明する。なお、この実施の形態によって本発明が限定されるものではない。
【００１６】
（実施の形態１）
図１は、本発明の第１の実施の形態における誘導加熱調理機器のブロック図を示すものである。
【００１７】
図１において、被加熱物１、誘導加熱コイル２、インバータ３、制御手段４、使用者が加熱の設定を行う操作部５、被加熱物を載置するトッププレート６、被加熱物１あるいはトッププレート６の温度を検知する検知手段７、時間をカウントする時間測定手段８、使用者が通常加熱中に温度維持機能を選択する温度維持選択機能９で構成している。
【００１８】
以上のように構成された誘導加熱調理機器について、以下にハンバーグを調理する場合を例にその動作、作用を説明する。
【００１９】
まず、使用者が、被加熱物１のフライパンをトッププレート６に載置し、操作部５で火力を設定し予熱及び調理を開始すると、温度検知手段７及び時間測定手段８の情報と共にその信号が制御手段４に送られ、その制御に応じてインバータ３から加熱コイル２に高周波が供給され、加熱が開始される。
【００２０】
予熱後ハンバーグを入れ、例えば２ＫＷのまま蛋白質が充分収縮し、肉汁が流出しないように表面が固まるまで焼いた後、使用者は温度維持選択手段９の温度維持選択機能を選択し、表面の調理が終了するまでの適当時間放置する。
【００２１】
その時、温度検知手段７は温度維持選択手段９の温度維持選択機能が選択された瞬間の温度が例えば１５０℃であればその温度を維持するように制御手段４により制御され加熱が行われる。この温度維持は温度維持選択手段９の温度維持選択機能が選択された際の設定火力を最大火力とし、入力をＯＮ／ＯＦＦすることで行われる。
【００２２】
この時、タイマー機能を使用することで、さらに調理が簡便になる為、使用することも可能である。
【００２３】
表側の加熱が終わった後、使用者はハンバーグを裏返し、裏を好きな火力で焼き、焼き色をつけた後、再度温度維持選択手段９の温度維持選択機能を選択し、フライパン温度を維持しつつ内部にまで火を通し調理を終了する。
【００２４】
以上のように、本実施の形態においては、表面を高火力で焼き固めた後内部までじっくり火を通す必要がある調理法において、従来は食材の種類や大きさ、フライパンの径、材質等の違いで表面を焼き固めたり、内部まで火を通す最適火力はかなり異なっており、使用者にとってはレシピやガスで培った感覚とのずれを改善できないことで多くの失敗を招いていたが、表面に焼き色をつける際の高火力調理は使用者自身が好きなように行い、使用者が最適火力を把握しにくい内部まで火を通す段階での調理は温度維持選択機能で自動制御を行い一定温度で加熱することで、使用者は失敗することなく調理を行うことができる。
【００２５】
（実施の形態２）
図２は、本発明の第２の実施の形態の誘導加熱調理機器の加熱パターン図である。
【００２６】
例えば、（ａ）のグラフのように、使用者が１０００Ｗの入力でホットケーキを焼き、あるタイミングで温度維持選択手段９の温度維持選択機能を選択した場合、その時の１０００Ｗを最大火力として温度維持の制御を制御手段４にて行う。
【００２７】
さらに、（ｂ１）のグラフのように温度維持選択手段９の温度維持選択機能が選択された時の温度検知手段７の値が２００℃未満の際は中火以下で調理をする卵、小麦粉系の調理だとみなし、最大火力を制限して（例えば１０００Ｗ）温度を維持し、反対に（ｂ２）のように２００℃以上の高温であった場合は、高温調理だと捉え、最大火力を最大限にして（例えば３０００Ｗ）温度を維持する。
【００２８】
また、温度維持選択手段９が選択される直前に操作部５により火力切り替えが行われ、例えば温度検知手段７の値が２３０℃で火力設定が７００Ｗだった場合などは、温度検知手段７の値を優先し、その温度を維持するのに必要な最大火力が決定される。
【００２９】
さらに、（ｃ）のグラフのように例えば上記温度維持中の最大火力を温度や使用火力により制限しても、かなり多い食材が投入されたり、選択された際の使用火力が低すぎて温
度維持が不可能な場合などは、温度が規定値以上低下したとみなし、復帰火力をアップさせて温度維持を行う。
【００３０】
尚、この規定値は温度検知手段７のみによる温度差値でも時間測定手段８と温度検知手段７による傾き値でも構わない。
【００３１】
以上のように、本実施の形態においては温度維持選択手段の温度維持選択機能を選んだ時の火力及び温度によって復帰火力の最大入力を制限するため、弱火で調理するホットケーキなどは焦げることなく調理ができ、反対に強火で調理する炒め物は高火力で温度維持を行う為、水分が出すぎることなく良い出来映えを確保することができる。
【００３２】
（実施の形態３）
図３は、本発明の第３の実施の形態の誘導加熱調理機器のブロック図である。
【００３３】
図３において、複数の温度検知手段７、温度検知手段７が検知した情報を平均化する温度情報演算手段１０である。
【００３４】
以上のように構成された誘導加熱調理機器において、以下に温度維持機能を用いて食材を様々な位置に置いて調理する場合を例にその動作、作用を説明する。
【００３５】
まず、例えば温度検知手段７が中央と中央から６ｃｍ点の左右に計３点戴置されている誘導加熱調理機器で、使用者が被加熱物１のフライパンをトッププレート６に載置し、操作部５で火力を設定し予熱及び調理を開始すると、複数の温度検知手段７で得られた情報が温度情報演算手段１０で演算されつつ時間測定手段８の情報と共に制御手段４に送られ、インバータ３から加熱コイル２に高周波が供給され、加熱が開始される。
【００３６】
生姜焼きを例にすると、１回目は中央に１枚、２回目は左右に２枚置いて調理する場合、１回目は中央に１枚食材が置かれる為、温度維持選択手段９の温度維持機能が選択された際の温度検知情報は中央のみ温度が低くなる（例えば中央が１８０℃、左右が２２０℃）。
【００３７】
この場合、中央と左右の温度検知手段の平均温度（例では２０７℃）で温度維持され調理を行い、フライパン全体の温度差を緩和する。
【００３８】
２回目も同様に平均温度（例えば中央が２２０℃、左右が１８０℃の時、平均１９３℃）で温度維持され調理が行われる。
【００３９】
以上のように本実施の形態においては、複数の温度検知情報の結果を平均化して温度維持を行う為、食材がどの位置におかれても大きな誤差を生むことなく、調理を行うことができる。従って、連続して投入、取り出しを行う調理においても、ほぼ一定の出来映えを維持することができる。
【００４０】
この時、温度検知手段の一つでも規定値以上の温度を検知した場合、加熱を中止し安全性を確保することも可能である。
【００４１】
（実施の形態４）
図３は、本発明の第４の実施の形態の誘導加熱調理機器のブロック図である。
【００４２】
図３において、使用者は操作部５で火力を設定し、好きなように調理をした後、温度維持選択手段９により温度維持を行う。
【００４３】
その後、最後に一気に焼き上げたり食材を追加したり、温度維持を解除したい場合があるので、その場合操作部５の火力設定キーを押すと温度維持選択手段の温度維持機能を解除し、通常の入力モードに戻すべく情報を制御手段４に送り、ダイレクトに通常モードに変更される。
【００４４】
この時、操作部５にモードが変化したことを示すこともできる。
【００４５】
以上のように本実施の形態においては、温度維持選択手段を選んだ後の解除が一発で行え、面倒なくその後の調理を続行することができる。
【００４６】
（実施の形態５）
図３は、本発明の第５の実施の形態の誘導加熱調理機器のブロック図である。
【００４７】
図３において、一般的な調理は水分が関わり１００℃以下で加熱が行われるものと、油を用いたり乾燥した状態で加熱が行われることで１００℃以上になるものの２タイプに分けられる。
【００４８】
例えば、使用者がカレーを調理する場合、被加熱物１のフライパンをトッププレート６に載置し、操作部５で火力を設定し予熱及び調理を開始すると、温度検知手段７及び時間測定手段８の情報と共にその信号が制御手段４に送られ、その制御に応じてインバータ３から加熱コイル２に高周波が供給され、加熱が開始される。
【００４９】
予熱後食材を入れ炒め、温度維持選択手段９により適当な温度（例えば２１０℃）で温度維持させつつ炒め物を行われた後、煮汁を投入し煮始め、沸騰しある程度火が通れば再度温度維持選択手段９で約１００℃で温度維持させつつ調理が終了される。
【００５０】
この場合、炒めもの時は温度検知手段７が示す結果が１００℃を超え、且つ温度検知手段による検知情報が比較的変動している為、水が関わらない乾燥状態での加熱だと判断され、高火力での制御を行う。
【００５１】
反対に、煮汁を投入した後の温度維持選択手段９の温度維持選択時は、温度検知手段７が示す結果が約１００℃を維持し、且つ温度検知手段７による検知情報がほとんど変動していない為、水が関わる加熱だと判断し、ふきこぼれを防ぐ為、低火力での制御を制御手段４で行う。
【００５２】
以上のように本実施の形態においては、温度検知手段７が得る検知結果が１００℃以下かそうでないかによって、調理法を見分け、それぞれに適した入力を行うことで失敗なく調理を行うことができる。
【００５３】
またこの時、温度検知手段７による検知結果が各制御プログラムの設定値から外れた場合、すなわち温度検知結果が１００℃を堺に変化した場合、制御手段４による制御を変更したり、入力を中止することで失敗を防ぐことができる。
【００５４】
さらに炒め煮などの場合、水分を入れた後の温度低下と１００℃近辺で温度維持持続を温度検知手段７が検知し、制御パターンを水を使用する加熱モード用に変更することで、無用な高火力を維持したり、ふきこぼれたりすることなく調理を行うことができる。
【産業上の利用可能性】
【００５５】
以上のように、本発明にかかる誘導加熱調理機器は使用者が所有するフライパンや食材
に合わせて好きなように調理をし最適温度を決めた後、その温度で温度維持を行う設定ができる為、思い通りの出来映えを得ることができるので、加熱調理器に有効である。
【図面の簡単な説明】
【００５６】
【図１】本発明の実施の形態１における誘導加熱調理機器のブロック図
【図２】本発明の実施の形態２における誘導加熱調理機器の加熱パターン図（ａ）最大火力が１０００Ｗの時のグラフ（ｂ１）検知温度が２００℃未満で最大火力が１０００Ｗの時のグラフ（ｂ２）検知温度が２００℃以上で最大火力が３０００Ｗの時のグラフ（ｃ）温度維持が困難な場合に復帰入力をアップさせる時のグラフ
【図３】本発明の実施の形態３から実施の形態５における誘導加熱調理機器のブロック図
【符号の説明】
【００５７】
１  被加熱物
２  誘導加熱コイル
３  インバータ
４  制御手段
５  操作部
６  トッププレート
７  温度検知手段
８  時間測定手段
９  温度維持選択手段
１０  温度情報演算手段（演算手段）
【図１】
2010040245.tif 000003
【図２】
2010040245.tif 000004
【図３】
2010040245.tif 000005